(57)【要約】【課題】移動局と下り通信速度が高い基地局との中継を可能にする中継装置及び通信制御方法を提供することにある。【解決手段】本発明に係る中継装置１０１は、参照ファイルを保存するサーバ１０３に接続されている複数の基地局ＢＳ１及びＢＳ２との無線接続が可能であり、基地局ＢＳ１及びＢＳ２の一つと移動局ＭＳ１との間の無線通信を中継する中継装置１０１であって、基地局ＢＳ１及びＢＳ２と無線通信する基地局側通信部と、サーバ１０３から各基地局を介して参照ファイルをダウンロードするように基地局側通信部を制御し、ダウンロードされた参照ファイルのダウンロード時間を基地局毎に測定し、最も短いダウンロード時間に関連する基地局を、中継装置１０１を介した移動局ＭＳ１の通信先に決定する制御部とを備える。【選択図】図１
2013131926.tif 000002
【特許請求の範囲】
【請求項１】
参照ファイルを保存するサーバに接続されている複数の基地局との無線接続が可能であり、前記基地局の一つと移動局との間の無線通信を中継する中継装置であって、
前記基地局と無線通信する基地局側通信部と、
前記サーバから各基地局を介して前記参照ファイルをダウンロードするように前記基地局側通信部を制御し、ダウンロードされた前記参照ファイルのダウンロード時間を基地局毎に測定し、最も短いダウンロード時間に関連する基地局を、前記中継装置を介した前記移動局の通信先に決定する制御部と
を備える中継装置。
【請求項２】
請求項１に記載の中継装置において、前記制御部は、前記ダウンロード時間を通信異常に関する閾値と比較し、前記閾値以上のダウンロード時間に関連する基地局の情報を前記サーバに送信するように前記基地局側通信部を制御することを特徴とする中継装置。
【請求項３】
請求項１又は２に記載の中継装置において、前記制御部は、前記移動局の通信先の基地局を決定するための一連の処理を定期的に行うことを特徴とする中継装置。
【請求項４】
参照ファイルを保存するサーバに接続されている複数の基地局との無線接続が可能であり、前記基地局の一つと移動局との間の無線通信を中継する中継装置における通信制御方法において、当該中継装置が、
前記サーバから各基地局を介して前記参照ファイルをダウンロードするステップと、
ダウンロードされた前記参照ファイルのダウンロード時間を基地局毎に測定するステップと、
最も短いダウンロード時間に関連する基地局を、前記中継装置を介した前記移動局の通信先に決定するステップと
を含む通信制御方法。
【発明の詳細な説明】
【技術分野】
【０００１】
本発明は、中継装置及び通信制御方法に関するものである。
【背景技術】
【０００２】
移動局が基地局と通信するためには、移動局は基地局からの無線電波が届く範囲（サービスエリア）に位置する必要がある。しかし、山岳地帯や高層ビル等が建ち並ぶ市街地では、障害物が多いため無線電波が届きにくい領域が存在する。また、屋外に設置された基地局からは、電波が届かない領域（例えば、建物の内部や地下）が多く存在する。特に、ＩＥＥＥ標準規格802.16eを基に規格化されたＷｉＭＡＸ（Worldwide Interoperability for Microwave Access）（登録商標）等の高速無線通信方式では、２．５ＧＨｚ以上の高周波数帯の電波が使用されるが、このような電波は直進性が強く、障害物を回りこむ性質が弱い。そのため、ＷｉＭＡＸ等は障害物の影響を強く受ける。このような電波が届かない領域をカバーするため、基地局と移動局との間の無線信号を中継する中継装置（レピータ）が必要となる。
【０００３】
近年、基地局と移動局との間の無線信号を単に中継するだけでなく、より高度な制御を行う中継装置が提案されている（例えば、特許文献１参照）。特許文献１に記載の中継装置は、複数の基地局から無線信号（下り信号）を受信すると、無線信号毎に通信品質を検出する。そして、中継装置は、通信品質が最も良好な基地局を中継接続に用いる基地局として選択する。これにより、高品質の無線回線を通じて発信できる基地局を検出することができる。
【先行技術文献】
【特許文献】
【０００４】
【特許文献１】特開２００３−３１８８０３号公報
【発明の概要】
【発明が解決しようとする課題】
【０００５】
しかし、従来の方法では、下り信号の通信品質が良い基地局が接続先として選択されるものの、中継装置と基地局との間の通信において高い通信速度（スループット）が得られるとは限らない。通信品質が良い基地局であっても、当該基地局と既に接続している通信装置（移動局や中継装置）との通信データ量が多く、この基地局のトラフィックが高いことがある。この場合、基地局は新たな中継装置に十分な無線リソースを割り当てられなくなる。そのため、新たな中継装置は、通信品質が良い基地局との通信において所望の下り通信速度（基地局から中継装置への信号の通信速度）を実現できないことになる。
【０００６】
従って、上記のような問題点に鑑みてなされた本発明の目的は、移動局と下り通信速度が高い基地局との中継を可能にする中継装置及び通信制御方法を提供することにある。
【課題を解決するための手段】
【０００７】
上述した諸課題を解決すべく、第１の観点に係る中継装置の発明は、
参照ファイルを保存するサーバに接続されている複数の基地局との無線接続が可能であり、前記基地局の一つと移動局との間の無線通信を中継する中継装置であって、
前記基地局と無線通信する基地局側通信部と、
前記サーバから各基地局を介して前記参照ファイルをダウンロードするように前記基地局側通信部を制御し、ダウンロードされた前記参照ファイルのダウンロード時間を基地局毎に測定し、最も短いダウンロード時間に関連する基地局を、前記中継装置を介した前記移動局の通信先に決定する制御部と
を備える中継装置である。
【０００８】
また、第２の観点に係る発明は、第１の観点に係る中継装置において、
前記制御部は、前記ダウンロード時間を通信異常に関する閾値と比較し、前記閾値以上のダウンロード時間に関連する基地局の情報を前記サーバに送信するように前記基地局側通信部を制御することを特徴とするものである。
【０００９】
また、第３の観点に係る発明は、第１又は第２の観点に係る中継装置において、
前記制御部は、前記移動局の通信先の基地局を決定するための一連の処理を定期的に行うことを特徴とするものである。
【００１０】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１１】
例えば、本発明を方法として実現させた第４の観点に係る通信制御方法は、
参照ファイルを保存するサーバに接続されている複数の基地局との無線接続が可能であり、前記基地局の一つと移動局との間の無線通信を中継する中継装置における通信制御方法において、当該中継装置が、
前記サーバから各基地局を介して前記参照ファイルをダウンロードするステップと、
ダウンロードされた前記参照ファイルのダウンロード時間を基地局毎に測定するステップと、
最も短いダウンロード時間に関連する基地局を、前記中継装置を介した前記移動局の通信先に決定するステップと
を含むものである。
【発明の効果】
【００１２】
上記のように構成された本発明に係る中継装置及び通信制御方法によれば、移動局は、最も短いダウンロード時間（最も高い下り通信速度）を実現する基地局と中継装置を介して通信することができる。
【図面の簡単な説明】
【００１３】
【図１】図１は、本発明の一実施形態に係る概略的な通信システム構成図である。
【図２】図２は、本発明の一実施形態に係る中継装置の概略構成を示す機能ブロック図である。
【図３】図３は、本発明の一実施形態に係る通信システムで行われる処理を示すシーケンス図である。
【発明を実施するための形態】
【００１４】
以下、本発明に係る一実施形態について、図面を参照して説明する。
【００１５】
図１は、本発明の一実施形態に係る概略的な通信システム構成図である。通信システム１００は、基地局ＢＳ（Base Station）（ＢＳ１及びＢＳ２）と、移動局ＭＳ（Mobile Station）（ＭＳ１、ＭＳ２、ＭＳ３、ＭＳ４、ＭＳ５）と、中継装置１０１と、サーバ１０３とから構成されている。中継装置１０１を介した無線通信には、例えばＷｉＭＡＸ等の無線通信方式が採用される。
【００１６】
中継装置１０１は、基地局ＢＳ１及びＢＳ２との無線接続が可能であり、基地局ＢＳ１及びＢＳ２のいずれか１つと移動局ＭＳ１とそれぞれ無線通信する。そして、中継装置１０１は、基地局ＢＳ１及びＢＳ２のいずれか１つと移動局ＭＳ１との間で送受信される無線信号を中継する。移動局ＭＳ１は、基地局ＢＳ１及びＢＳ２のセル（通信可能エリア）の範囲外に位置していても、中継装置１０１を介して基地局ＢＳ１又はＢＳ２と無線通信できる。移動局ＭＳ２〜ＭＳ４は、中継装置１０１を介さずに基地局ＢＳ１と直接通信し、移動局ＭＳ５は、中継装置１０１を介さずに基地局ＢＳ２と直接通信している。なお、図１では、中継装置１０１と接続可能な基地局が２つ示されているが、本発明はこの態様に限定されるものではなく、中継装置１０１と接続可能な基地局を３つ以上にすることができる。
【００１７】
サーバ１０３は、基地局ＢＳと有線で接続され、基地局ＢＳを介して中継装置１０１とファイルを送受信できるものである。サーバ１０３は、例えば、ＥＭＳ（Element Management System：エレメント管理システム）やＮＭＳ（Network Management System：ネットワーク管理システム）である。サーバ１０３は、参照ファイルを保存している。参照ファイルは、中継装置１０１が基地局ＢＳからの下り通信速度を特定するために中継装置１０１によってダウンロードされるものである。
【００１８】
図２は、本発明の一実施形態に係る中継装置の概略構成を示す機能ブロック図である。
【００１９】
中継装置１０１は、基地局ＢＳと通信を行うドナーノード（ＭＳ（Mobile Station）部）１１１と、移動局ＭＳと通信を行うサービスノード（ＢＳ（Base Station）部）１１３とを備えている。中継装置１０１は、一体型又は分離型である。一体型の中継装置１０１は、一つの筐体内にドナーノード１１１とサービスノード１１３とを備えるものである。分離型の中継装置１０１では、ドナーノード１１１とサービスノード１１３とをそれぞれ独立して配置することが可能である。一体型及び分離型のドナーノード１１１とサービスノード１１３とは、ＬＡＮ（Local Area Network）ケーブル等の信号ケーブルにより接続される。
【００２０】
まず、ドナーノード１１１の機能ブロックについて説明する。ドナーノード１１１は、基地局側通信部１１７と、記憶部１１９と、制御部１２１とを備えている。基地局側通信部１１７及び記憶部１１９は、制御部１２１に接続されている。
【００２１】
基地局側通信部１１７は、アンテナを介して基地局ＢＳと無線信号を送受信する。基地局側通信部１１７は、受信した無線信号に対して低雑音での増幅及びダウンコンバート等を行うことによりベースバンド信号を生成し、制御部１２１に送る。また、基地局側通信部１１７は、ベースバンド信号に対してアップコンバート及び増幅等を行うことにより、無線信号を生成し、アンテナを介して当該無線信号を基地局ＢＳに送信する。
【００２２】
記憶部１１９は、中継装置１０１とサーバ１０３からの参照ファイルのダウンロード時間などの各種情報を記憶するものであり、ワークメモリなどとしても機能する。
【００２３】
なお、本実施形態では、ドナーノード１１１のみが、記憶部１１９を有するが、本発明は、この構成に限定されるものではない。例えば、サービスノード１１３のみが記憶部を有し、当該記憶部が、ドナーノード１１１及びサービスノード１１３の各種情報を記憶することもできる。また、ドナーノード１１１及びサービスノード１１３の双方が記憶部を有し、各々の記憶部が関連する各々のユニットの情報を記憶することもできる。
【００２４】
制御部１２１は、ドナーノード１１１及びサービスノード１１３の各機能ブロックをはじめとしてドナーノード１１１及びサービスノード１１３の全体を制御及び管理する。ここで、制御部１２１は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。なお、本実施形態では、ドナーノード１１１のみが、制御部１２１を有するが、本発明は、この構成に限定されるわけではない。例えば、サービスノード１１３のみが制御部を有し、当該制御部が、ドナーノード１１１及びサービスノード１１３の全体を制御及び管理することができる。また、ドナーノード１１１及びサービスノード１１３の双方が制御部を有し、各々の制御部が関連する各々のユニットを制御及び管理することもできる。制御部１２１が行う処理については、後述の図３の説明にて詳述する。
【００２５】
続いて、サービスノード１１３の機能ブロックについて説明する。サービスノード１１３は、移動局側通信部１２３を備えている。移動局側通信部１２３は、制御部１２１に接続されている。
【００２６】
移動局側通信部１２３は、アンテナを介して移動局ＭＳ１と無線信号を送受信する。移動局側通信部１２３は、受信した無線信号に対して低雑音での増幅及びダウンコンバート等を行うことによりベースバンド信号を生成し、制御部１２１に送る。また、移動局側通信部１２３は、ベースバンド信号に対してアップコンバート及び増幅等を行うことにより、無線信号を生成し、アンテナを介して当該無線信号を移動局ＭＳ１に送信する。
【００２７】
続いて、中継装置１０１が、自装置１０１を介した移動局ＭＳ１の通信先の基地局を決定する方法について、図３を参照して説明する。図３は、本発明の一実施形態に係る通信システムで行われる処理を示すシーケンス図である。
【００２８】
まず、中継装置１０１の制御部１２１は、サービスノード１１３の機能を無効にし、サービスノード１１３が移動局ＭＳ１と通信できないようにする（図３の１）。サービスノード１１３の機能の無効化は、例えば移動局側通信部１２３の送受信の停止により実現される。移動局ＭＳ１が中継装置１０１を介して基地局ＢＳとデータ通信していると、移動局ＭＳ１の通信に関するデータが中継装置１０１と基地局ＢＳとの通信経路における通信速度（スループット）に影響を与える。そのため、サービスノード１１３の機能を無効にすることにより、移動局ＭＳ１がデータ通信を行っていない場合の中継装置１０１と基地局ＢＳと通信における通信速度を求めることができる。なお、サービスノード１１３の機能の無効化により、中継装置１０１と通信を行っていた移動局ＭＳ１以外の移動局（図示せず）も通信できなくなってしまうため、制御部１２１は、サービスノード１１３と通信している移動局が存在しないことを確認した後、サービスノード１１３の機能を無効にすることができる。
【００２９】
続いて、制御部１２１は、基地局側通信部１１７を制御して、基地局ＢＳ１と同期信号を送受信して、基地局ＢＳ１により割り当てられた周波数帯域で通信接続を確立する（図３の２）。そして、制御部１２１は、基地局ＢＳ１を介してサーバ１０３とファイル転送プロトコル（ＦＴＰ：File Transfer Protocol）で接続する（図３の３）。
【００３０】
制御部１２１は、サーバ１０３から参照ファイルをダウンロードするように基地局側通信部１１７を制御する。まず、制御部１２１は、参照ファイルの送信を要求する信号（要求信号）を、基地局ＢＳ１を介してサーバ１０３に送信するように基地局側通信部１１７を制御する。サーバ１０３は、当該要求信号を受信すると、基地局ＢＳ１を介して参照ファイルを中継装置１０１に送信する（図３の４）。
【００３１】
基地局側通信部１１７は、参照ファイルを受信すると、当該参照ファイルを制御部１２１に送る。制御部１２１は、参照ファイルのダウンロード時間を測定する（図３の５）。制御部１２１は、例えば、参照ファイルの始まりのデータ列と終わりのデータ列を予め把握しておくことにより参照ファイルのダウンロード時間を測定することができる。制御部１２１は、ダウンロード時間が短いほど、下り通信速度が高いと判断できる。
【００３２】
なお、制御部１２１は、ダウンロード時間だけでなく、アップロード時間を取得することもできる。制御部１２１は、記憶部１１９に予めアップロード用の参照ファイルが保存されている場合、基地局ＢＳ１を介して当該参照ファイルをサーバ１０３に送信するように基地局側通信部１１７を制御する。そして、サーバ１０３は、参照ファイルの受信からアップロード時間を算出し、基地局ＢＳ１を介して当該アップロード時間の値を中継装置１０１に送信する。これにより、制御部１２１は、ダウンロード時間を測定するだけでなく、アップロード時間を取得することもできる。そして、制御部１２１は、アップロード時間が短いほど、上り通信速度（中継装置１０１から基地局ＢＳへの信号の通信速度）が高いと判断することができる。
【００３３】
制御部１２１は、測定したダウンロード時間を、接続先の基地局ＢＳ１の情報と関連付けて記憶部１１９に記憶させる。基地局ＢＳ１の情報とは、基地局ＢＳ１を特定することができる情報であり、例えば基地局ＢＳの識別子（ＢＳＩＤ）である。そして、制御部１２１は、基地局ＢＳ１との通信接続を切断する（図３の６）。
【００３４】
中継装置１０１は、移動局ＭＳ１の通信先の基地局を決定するために、無線接続が可能な全ての基地局それぞれについて、参照ファイルのダウンロード時間を測定する。本実施形態では、中継装置１０１は、基地局ＢＳ１及び基地局ＢＳ２と無線接続が可能であるため、中継装置１０１は、基地局ＢＳ１の場合と同様にして、基地局ＢＳ２に関連するダウンロード時間を測定する。
【００３５】
中継装置１０１は、基地局ＢＳ２により割り当てられた周波数（基地局ＢＳ１とは異なる周波数）で基地局ＢＳ２と通信接続を確立して（図３の７）、サーバ１０３と基地局ＢＳ２を介してファイル転送プロトコルにより接続する（図３の８）。そして、中継装置１０１は、基地局ＢＳ２を介してサーバ１０３から参照ファイルをダウンロードし（図３の９）、ダウンロード時間を測定する（図３の１０）。制御部１２１は、測定したダウンロード時間を、接続先の基地局ＢＳ２の情報と関連付けて記憶部１１９に記憶させ、基地局ＢＳ２との通信接続を切断する（図３の１１）。
【００３６】
制御部１２１は、無線接続が可能な全ての基地局に関するダウンロード時間を測定すると、記憶部１１９に記憶されているダウンロード時間同士を比較する（図３の１２）。本実施形態では、基地局ＢＳ１が移動局ＭＳ２〜ＭＳ４と通信を行い、基地局ＢＳ２が移動局ＭＳ５のみと通信を行っている。基地局ＢＳ１のほうが、基地局ＢＳ２よりも、多くの移動局と通信しているため、処理すべきデータ量が多く、トラフィックが高いとする。すると、基地局ＢＳ２に関連するダウンロード時間のほうが、基地局ＢＳ１に関連するダウンロード時間に比べ短くなる。
【００３７】
そして、制御部１２１は、最も短いダウンロード時間に関連する基地局ＢＳ２を移動局ＭＳ１の通信先に決定する（図３の１３）。なお、制御部１２１が、ダウンロード時間及びアップロード時間の双方を取得している場合、ダウンロード時間及びアップロード時間の双方が最も短い基地局を移動局ＭＳ１の通信先に決定することができる。また、ダウンロード時間及びアップロード時間の双方が最も短い基地局が存在しない場合は、アップロード時間の短さよりもダウンロード時間の短さを優先して、中継装置１０１を介した移動局ＭＳ１の通信先の基地局を決定することができる。これは、一般的に、ダウンロードのほうがアップロッドに比べデータ通信量が多いためである。
【００３８】
移動局ＭＳ１の通信先が基地局ＢＳ２に決定されると、制御部１２１は、基地局ＢＳ２と通信接続を確立し（図３の１４）、サービスノード１１３の機能を有効にする（図３の１５）。これにより、移動局ＭＳ１は、下り通信速度が最も高い基地局ＢＳ２と中継装置１０１を介して通信することになる。
【００３９】
なお、中継装置１０１の制御部１２１は、移動局ＭＳ１の通信先の基地局を決定するための図３に記載の一連の処理を、定期的又は不定期的に行うことができる。
【００４０】
更に、制御部１２１は、図３の１２の処理において、測定されたダウンロード時間同士を比較するのみならず、各ダウンロード時間を通信異常に関する閾値と比較することもできる。通信異常に関する閾値とは、基地局が複数の移動局と通信することのみでは、測定され得ないダウンロード時間に関する値であり、中継装置１０１とサーバ１０３との間の通信で障害が発生している可能性が高いことを示す値である。ダウンロード時間が通信異常に関する閾値以上である場合、制御部１２１は、閾値以上のダウンロード時間に関連する基地局ＢＳの情報をアラームとしてサーバ１０３に送信するように基地局側通信部１１７を制御することができる。サーバ１０３は、アラームの受信により、通信異常（障害）の発生を認識することができる。サーバ１０３は、障害復旧のために、中継装置１０１に再起動を指示する信号を送信したり、サーバ１０３の管理者に障害と関係が深そうな箇所の点検や交換を指示する旨を通知（例えば、ディスプレイに当該旨を表示）したりできる。なお、制御部１２１は、アラームをサーバ１０３に送信する際、ダウンロード時間が最も短い基地局と通信接続を確立して、当該基地局を介してサーバ１０３にアラームを送信することができる。アラームが、通信速度の最も高い回線を通じてサーバ１０３に届くため、迅速な障害復旧が可能となる。
【００４１】
このように本実施形態では、中継装置１０１の制御部１２１は、サーバ１０３から各基地局ＢＳ１又はＢＳ２を介して参照ファイルをダウンロードするように基地局側通信部１１７を制御し、ダウンロードされた参照ファイルのダウンロード時間を基地局毎に測定し、最も短いダウンロード時間に関連する基地局ＢＳ２を、中継装置１０１を介した移動局ＭＳ１の通信先に決定する。各基地局を介して同じ大きさの参照ファイルがダウンロードされるため、ダウンロード時間の短さが中継装置１０１と基地局ＢＳとの通信における下り通信速度の高さを意味する。よって、最も短いダウンロード時間に関連する基地局ＢＳ２を移動局ＭＳ１の通信先に決定することにより、移動局ＭＳ１は、最も高い下り通信速度を実現する基地局ＢＳ２と中継装置１０１を介して通信することができる。
【００４２】
また、本実施形態では、制御部１２１は、ダウンロード時間を通信異常に関する閾値と比較し、閾値以上のダウンロード時間に関連する基地局の情報をサーバ１０３に送信するように基地局側通信部１１７を制御することができる。ダウンロード時間が長すぎるほど、単に接続先の基地局のトラフィックが高いだけでなく、中継装置１０１とサーバ１０３との間の通信において障害が発生している可能性が高くなる。そのため、ダウンロード時間の長さから障害の発生を特定し、サーバ１０３で障害の発生状況の情報を一元管理することにより、効率的な障害への対応が可能となる。
【００４３】
また、本実施形態では、制御部１２１は、移動局ＭＳ１の通信先の基地局を決定するための一連の処理を定期的に行うことができる。図３に記載の処理が繰り返し行われることにより、時々刻々と変化する通信環境に対応して、移動局ＭＳ１は、最も高い下り通信速度が実現される基地局と通信できるように、通信先の基地局を変更しながら通信することが可能になる。
【００４４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００４５】
例えば、各部材、各手段、各ステップなどに含まれる機能などは論理的に矛盾しないように再配置可能であり、複数の手段やステップなどを１つに組み合わせたり、或いは分割したりすることが可能である。
【００４６】
上述の本発明の実施形態では、中継装置１０１が測定したダウンロード時間を比較して、最も短いダウンロード時間に関連する基地局ＢＳ２を移動局ＭＳ１の通信先に決定するとして説明したが、本発明はこの態様に限定されるものではない。例えば、中継装置が基地局毎にダウンロード時間を測定し、基地局を介して測定したダウンロード時間の値をサーバに送信し、サーバがダウンロード時間を比較することができる。そして、サーバは、最も短いダウンロード時間に関連する基地局を特定し、当該基地局と通信接続を確立して、サービスノードを有効にするよう指示する旨の信号を中継装置に送信することができる。これにより、中継装置は、最も高い下り通信速度が実現される基地局と移動局との無線通信を中継することになる。
【００４７】
また、上述の本発明の実施形態では、中継装置１０１は、サーバ１０３から参照ファイルをダウンロードしてダウンロード時間を測定するとして説明したが、本発明はこの態様に限定されるものではない。例えば、基地局が参照ファイルを保存している場合、中継装置は、基地局とファイル転送プロトコルにより接続して、参照ファイルをダウンロードすることができる。
【００４８】
上述の本発明の実施形態の説明において、例えば、閾値「以上」のような表現の技術的思想が意味する内容は必ずしも厳密な意味ではなく、中継装置の仕様に応じて、基準となる値を含む場合又は含まない場合の意味を包含するものとする。例えば、閾値「以上」とは、閾値の比較対象である値が閾値に達した場合のみならず、閾値を超えた場合も含意し得るものとする。
【符号の説明】
【００４９】
１００  通信システム
１０１  中継装置
１０３  サーバ
１１１  ドナーノード
１１３  サービスノード
１１７  基地局側通信部
１１９  記憶部
１２１  制御部
１２３  移動局側通信部
ＢＳ１、ＢＳ２    基地局
ＭＳ１〜ＭＳ５    移動局
【図１】
2013131926.tif 000003
【図２】
2013131926.tif 000004
【図３】
2013131926.tif 000005